(57)【要約】【課題】複合パネルの表面に取付け用の金具類が現れないようにし、表面美観は保たれ且つ、充分な取付け強度が確保できるばかりでなく、現場で複合パネルを確実に締め付けができる省力効果の高い取付け作業が可能な複合パネルが望まれていた。【解決手段】建造物の壁面又は天井面に添設され、複合パネルの係止孔に係止部材である係止装置本体の頭部が挿入でき、それをクリッパーを用いて握圧することにより、係止部材中央部外周が外側に膨出して、複合パネルの裏板とで取付金具を挟持される複合パネルおよび係止部材による締結固定にする。【選択図】図１２
2012144960.tif 000002
【特許請求の範囲】
【請求項１】
建造物の壁面又は天井面に取付金具によって添設され、裏板、芯材および表板からなる複合パネルであって、前記取付金具と複合パネルを固定するための係止部材を備え、前記係止部材は長手方向の略中央部に摺動孔を有し、頭部とこの頭部に連接され頭部よりも径小なガイド部とこのガイド部から延設され複数のスリットを有する変形可能な座とからなる係止装置本体と、上記裏板は、前記係止装置本体の頭部が挿入可能な挿入孔と、この挿入孔に連接され前記頭部よりも径小な前記ガイド部が摺動可能であるが前記頭部の外径より狭い係止孔とが穿設されていて上記芯材は少なくとも前記裏板の前記挿入孔と前記係止孔とに対応する部分に前記頭部が摺動可能な収容孔が穿設されていて、前記係止穴内に配置された前記係止装置本体の前記座を変形することによって、取付金具を変形された座と前記裏板との間に挟持されていることを特徴とする複合パネル。
【請求項２】
前記係止部材はさらに前記摺動孔内に保持され前記係止装置本体よりも長い挿通体（ネジ）と、この挿通体の前記係止装置本体から突出した部分に設けられた保持体（ガイドナット）とを備え、係止穴内に配置された前記係止装置本体の前記座は、前記係止装置本体の端面と前記保持体との間に挿入操作されたクリッパーによって、その外周が外側に膨出して変形されてことを特徴とする複合パネル。
【発明の詳細な説明】
【技術分野】
【０００１】  本発明は、各種建造物の壁面、又は、天井面を構築する複合パネル及びその係止部材に関する。
【背景技術】
【０００２】  図１３から図１７を参照して、従来用いられている複合パネルを建造物の内壁に固定する方法を説明する。【０００３】  複合パネルを実際に壁面パネル若しくは天井面パネルとして使用する場合には、パネル部を建造物の壁面や天井面に保持固定することが必要である。従来、複合パネルからなるパネル部を保持固定する手段としては、種々の固定方法が提案されており、例えば、図１３に示すように、居住用の部屋内には、予め、アンカーボルト１０を備えている建造物の内壁に、下地であるケイ酸カルシュウム板９と柱材１３を組み付け、更に、これらをブラケット１４に挿し入れ、アンカーナット（図示せず）で懸架固定して内装の骨組みを構築する。そして、ケイ酸カルシュウム板９の表面に接着剤を塗布、或いは、両面テープを接着して化粧板である複合パネル１を貼付けて内壁を施工する。尚、隣接する複合パネル１の隙間はコーキングを施して内壁を完成する。【０００４】  また、図１４に記載された従来の複合パネル固定方法は、予め、構造物壁躯体１２の構造物アンカーボルトナット１１に、スチールアングル１７をアンカーボルトナット１１で締結したものに、複合パネル１の端面を必要長さ分、折り曲げて、ブラインドリベット１５とアルミ型材１６で係合し、それを固定ボルトナット１９で係止する。構造物壁躯体１２から延びるスチールアングル１７に、アルミ型材１６とラインドリベット１５で接合された複合パネル１を構造物壁躯体１７に懸架固定する。隣接する複合パネル１の隙間は、コーキングを施して内壁を完成するものがある。【０００５】  更に、図１５に記載された壁面パネルの取付け構造は、パネル本体部２０と躯体壁面２１の両側のフック部の間に設けられ、パネル本体部２０の裏面から躯体壁面２１に向かって伸長する補強リブ２２に設けられた係止溝２３と、この係止溝２３を係止させるべく、躯体壁面２１に設けられた係止用部材２４を備え、パネル本体部２０の内側部分が固定される（例えば特許文献１参照）。【０００６】  更に、図１６及び図１７に記載された、従来の複合パネル１は、表板１ｃは平板であり、芯材１ｂには係止用孔６ｃを穿設している。裏板１ａは、三角孔６ｂの開口部６ａを設けている。その開口部６ａに挿入可能な金属プレートを取付けたボルト（図示せず）を挿入し、一定角度回転して、複合パネル１を例えば躯体（図示なし）に係止するようにした。三角形係止部材と三角形状孔６を設けて複合パネルを締結固定するものもある（例えば特許文献２参照）。【０００７】  また、図示しないが積層複合材の裏面の金属板に鍵穴状の開口部を、その下層の樹脂に長円柱状空間を形成しておき、根角ボルトを、前記積層複合材の裏面側に設けた根角ボルト頭部の外形に対応する円形状の開口部に挿入し、長円柱状空間に挿入した根角ボルトを前記積層複合材に形成したガイド溝に沿って移動することにより、根角ボルトを積層複合材に締結固定するものがある（例えば特許文献３参照）。【０００８】  上述した従来技術は、後述するように、解決する課題を有しているので、本件出願人はそれらの課題を解決するための、改良案を平成２２年１０月１５日に特願２０１０−２４５６３９として出願した。これは、裏板、芯材およ���表板からなる複合パネルであって、裏板は、係止用ネジのネジ頭部が通過する挿入孔とこの挿入孔に連接されネジ頭部の外径より狭い係止孔が穿設されていて、芯材は少なくとも裏板の挿入孔と係止孔とに対応する部分にネジ頭部が摺動可能な摺動孔が穿設されている複合パネルである。
【先行技術文献】
【０００９】
【特許文献１】特開２００４−９２０２０号公報、
【特許文献２】特許４０６５８９０号
【特許文献３】特開２００９−９７２９８号公報
【発明の概要】
【発明が解決しようとする課題】
【００１０】  図１３に記載された従来の接着剤を塗布、或いは、両面テープを使用した接着固定方法では、パネル面に接着剤を万遍無く塗布する手間がかかり、複合パネルの接着面の均一性に欠き、貼付け強度が保たれない、また、接着剤独特の臭気を帯び、耐久性と環境面で極めて多くの課題を有している。【００１１】  図１４に記載された、従来のブラインドリベットによる複合パネルの固定方法は、内壁面の美観は損なわれないものの、取付け強度の面で問題があり、また、複合パネルの端面を必要長さ分の折り曲げ加工を施す必要があり、この方法では、強度面と施工性の観点で満足が得られない。【００１２】  また、図１５に記載された、従来の壁面パネル固定方法は、ある程度の取付け強度は期待できるが、パネル本体部の補強リブを係止部材に引っ掛けて懸架するだけで壁面パネルと係止部材の安定性とパネル下部からの荷重によりパネル本体が上方に持ち上がる欠点がある。【００１３】  特許文献３に示されたものは、複合パネルの表板および裏板の板厚が薄いときには係止部材が空回りして壁面パネルを取付けることができない欠点がる。【００１４】  また、図１６及び図１７に記載された従来のものは、複合パネルの裏板に三角形状の開口部を施したものに、挿入可能な金属プレートを取付けたボルトを挿入し、一定角度回転して係止する複合パネルの締結固定方法は、ある程度の貼付け強度は期待できるが、開口部の加工が難点であることと、ボルトと複合パネルの三角形状孔を係止する位置の模索に手間が掛る欠点がある。【００１５】  さらに、特願２０１０−２４５６０３９に示されたものは、上述従来の欠点を除去する優れた効果を奏するものであるが、ネジ頭部を係止する複数の係止孔に、対応する複数のネジを使用して固定しなければならず部品点数が多くなる。【００１６】  前述の従来の固定方法では、いずれも係止部材が空回りすることがあるなど、十分な固定効果が得られず、複合パネルの固定位置が定め難いばかりではなく係止部材の安定性に欠けるなど、施工工数が増大して結果的には、コストアップになることが問題点として挙げられる。【００１７】  本発明の目的は、上述した従来の固定手段の問題点を解決することにあり、複合パネルの表面には全く取付け用の金具類は現れないため、表面美観は保たれ、且つ充分な取付け強度が確保できるばかりでなく、部品点数が少なくて済む複合パネルおよびその係止部材を提供することにある。
【課題を解決するための手段】
【００１８】  本発明は、建造物の壁面又は天井面に取付金具によって添設され、裏板、芯材および表板からなる複合パネルであって、前記取付金具と複合パネルを固定するための係止部材を備え、前記係止部材は長手方向の略中央部に摺動孔を有し、頭部とこの頭部に連接され頭部よりも径小なガイド部とこのガイド部から延設され複数のスリットを有する変形可能な座とからなる係止装置本体と、上記裏板は、前記係止装置本体の頭部が挿入可能な挿入孔と、この挿入孔に連接され前記頭部よりも径小な前記ガイド部が摺動可能であるが前記頭部の外径より狭い係止孔とが穿設されていて上記芯材は少なくとも前記裏板の前記挿入孔と前記係止孔とに対応する部分に前記頭部が摺動可能な収容孔が穿設されていて、前記係止穴内に配置された前記係止装置本体の前記座を変形することによって、取付金具を変形された座と前記裏板との間に挟持されていることによって複合パネルが構成する。【００１９】  前記係止部材はさらに前記摺動孔内に保持され前記係止装置本体よりも長い挿通体（ネジ）と、この挿通体の前記係止装置本体から突出した部分に設けられた保持体（ガイドナット）とを備え、係止穴内に配置された前記係止装置本体の前記座は、前記係止装置本体の端面と前記保持体との間に挿入操作されたクリッパーによって、その外周が外側に膨出して変形されてことによって複合パネルが構成する。
【発明の効果】
【００２０】  以上説明したように、本発明の複合パネルおよびその係止部材によれば、建造物の壁面又は天井面を構築する現場で、複合パネルを効果的で容易に施工することが可能である。【００２１】  例えば、居住用の部屋内建造物躯体の外側に化粧板である複合パネルを取付けるには、極めて省力的に、且つ、美観を損なうことなく確実に施工をすることができる、また、接着剤による貼付方法に較べ、環境面および健康面にも優しい点を併せ持つ、極めて有効に品質を保つ部屋を構築することができる複合パネルの締結固定方法である。特に、複合パネルの締結固定が容易で正確にできる。
【図面の簡単な説明】
【００２２】
【図１】本発明に係る一実施例の係止部材の斜視図。
【図２】同係止部材の図１の裏側から見た斜視図。
【図３】同複合パネルの挿入孔及び係止孔を示す分解斜視図。
【図４】同複合パネルの一部を示す平面図。
【図５】図４のＡ−Ａ’線に沿った断面図。
【図６】同係止部材と取付金具および複合パネル断片の一部分解斜視図。
【図７】同係止部材を複合パネルの係止孔に挿入した状態を示す斜視図。
【図８】図７のＢ−Ｂ’線に沿った断面図。
【図９】同係止装置本体をクリッパーで握圧する方法を示す概略断面図。
【図１０】図９でクリッパーにより握圧された係止装置本体で複合パネルと取付金具が固定された状態を示す斜視図。
【図１１】図１０のＣ−Ｃ’線に沿った断面図。
【図１２】同壁面に締結固定された状態を示す部分断面図。
【図１３】従来の複合パネルの部屋内装施工例を示す断面図。
【図１４】従来のブラインドリベットによる複合パネル取付け構造を示す断面図。
【図１５】従来の補強リブによる壁面パネル取付け構造を示す断面図。
【図１６】従来の三角形状孔を施した複合パネルの一部分を示す平面図。
【図１７】図１６のＤ−Ｄ’線に沿った断面図。
【発明を実施するための形態】
【００２３】  以下、本発明の実施例を、図面を用いて詳細に説明する。最初に図１、図２を参照して本発明の実施例を説明する。
本発明は、建造物の壁面又は天井面に取付金具によって添設され、裏板、芯材および表板からなる複合パネルであり、前述取付金具と複合パネルを締着固定するための係止部材３は、係止装置本体３ｇを備え、係止装置本体３ｇは細長状の長手方向の略中央部に摺動孔３ｄと頭部３ａおよび複数のスリットを有する座３ｃが設けられている、係止装置本体３ｇの中心部に設けられている摺動孔３ｄに挿脱可能で且つ、係止装置本体３ｇの全長よりも長い挿通体としてのガイドネジ４と摺動孔３ｄから突出した部分に設けられた保持体としてのガイドナット５とを有している、これを係止部材３と呼ぶ。
【００２４】  次に、図３から図５を参照して、複合パネルの実施例を説明する。図３記載の複合パネル１は、建造物の壁面又は天井面を添設するもので、それを説明するための複合パネル分解斜視図を表わす、なお、図３から図５の一点鎖線は複合パネルの各構成部材の中心円を示すために便宜的に記したものである。ここで、図４と図５に記載の複合パネル１は裏板１ａ、芯材１ｂおよび表板１ｃを強力貼着したものであり、裏板１ａは、挿入孔２ａと係止孔２ｂの合成孔を穿設されていて、芯材１ｂには、係止部材３の収容孔２ｄが穿設されて、表板１ｃは平板であり、裏板１ａと芯材１ｂ及び表板１ｃは、貼着構造となっているので、袋溝穴が形成される、これを係止穴２と呼ぶ。
【００２５】  次に、図６に記載の裏板１ａは、係止部材３の係止装置本体３ｇの頭部３ａが貫通可能な挿入孔２ａと、この挿入孔２ａの一側に連設され頭部３ａよりも径小なガイド部３ｆが摺動可能であるが頭部３ａの外径より狭い係止孔２ｂが穿設されている、芯材１ｂは少なくとも裏板１ａの挿入孔２ａと係止孔２ｂとに対応する部分に頭部３ａが摺動可能な収容孔２ｄが穿設されている。
【００２６】  次に、図７及び図８に示すように、複合パネル１の係止穴２にある挿入孔２ａに係止部材３である係止装置本体３ｇの頭部３ａを挿入、挿通体としてのガイドネジ４に保持体としてのガイドナット５を締着投入状態で係止装置本体３ｇのガイド部３ｆを複合パネル１の係止孔２ｂに沿って係止装置本体３ｇの頭部３ａを係止孔端３ｃまで摺動させたものに取付金具７の貫通孔７ａを係止装置本体３ｇの座３ｃを貫通投入する。
【００２７】  次に、図９から図１２に示すように係止装置本体３ｇの端面３ｅとガイドナット５との間に挿入された押圧工具であるクリッパー８によって握圧方向８ｂに握圧すると図１０、図１１に示すように、係止装置本体３ｇの端面３ｅが押圧方向８ｃに摺動し、複数のスリットを有する変形可能な係止装置本体３ｇの座３ｃが外側に膨出されることによって、座３ｃの膨出部分と頭部３ａの間に複合パネル１と取付金具８が挟持される、この係止部材３によって、複合パネルと取付金具７が挟持された状態で一事例を図１２に示すように、壁或いは天井に添設する。
【００２８】  ここで、前述の係止穴２の袋溝穴形状を、図６を用いて、更に詳細説明する。複合パネル１裏板１ａの係止孔２ｂの長さは、係止部材３である係止装置本体３ｇの頭部３ａを挿入孔２ａより挿入でき、頭部３ａが係止孔端２ｃに接触するまで係止装置本体３ｇのガイド部３ｆが係止孔２ｂ内をガイドされながら摺動する長さであり、係止孔２ｂの長さは、頭部３ａが係止孔２ｂに隠れる長さである、また、係止孔２ｂの幅は係止装置本体３ｇのガイド部３ｆをガイドできる幅を有する、裏板１ａと芯材１ｂおよび表板１ｃは貼り合わせ構造となっているので、袋溝穴形状の係止穴２が形成される。
【符号の説明】
【００２９】  １：複合パネル
１ａ：裏板
１ｂ：芯材
１ｃ：表板
２：係止穴
２ａ：挿入孔
２ｂ：係止孔
２ｃ：係止孔端
２ｄ：収容孔
２ｅ：係止孔心
３：係止部材
３ａ：頭部
３ｂ：爪
３ｃ：座
３ｄ：摺動孔
３ｅ：端面
３ｆ：ガイド部
３ｇ：係止装置本体
４：ガイドネジ
４ａ：ガイドネジ外径
５：ガイドナット
６：三角形状孔
６ａ：開口部
６ｂ：三角孔
６ｃ：孔
７：取付金具
７ａ：貫通孔
８：クリッパー
８ａ：支点
８ｂ：握圧方向
８ｃ：押圧方向
８ｄ：ツカミ部
９：ケイ酸カルシューム板
１０：アンカーボルト
１１：アンカーボルトナット
１２：建造物壁躯体
１３：柱材
１４：ブラケット
１５：ブラインドリベット
１６：アルミ型材
１７：スチールアングル
１８：固定ボルト
１９：固定ボルトナット
２０：パネル本体部
２１：躯体壁面
２２：補強リブ
２３：係止溝
２４：係止用部材
【図１】
2012144960.tif 000003
【図２】
2012144960.tif 000004
【図３】
2012144960.tif 000005
【図４】
2012144960.tif 000006
【図５】
2012144960.tif 000007
【図６】
2012144960.tif 000008
【図７】
2012144960.tif 000009
【図８】
2012144960.tif 000010
【図９】
2012144960.tif 000011
【図１０】
2012144960.tif 000012
【図１１】
2012144960.tif 000013
【図１２】
2012144960.tif 000014
【図１３】
2012144960.tif 000015
【図１４】
2012144960.tif 000016
【図１５】
2012144960.tif 000017
【図１６】
2012144960.tif 000018
【図１７】
2012144960.tif 000019